(57)【要約】【課題】表示ボードとスタンドとを外箱を用いることなく輸送できるようにする。【解決手段】表示ボード１をスタンド２で支持して立て掛ける立掛け式展示具において、表示ボード１は、上ボード３と下ボード４とをヒンジ部２５を介して折り重ね可能に連結した構成とし、スタンド２は、背板８の両側に側板９を連設し、下部に台座７を備え、背板８及び両方の側板９に亘って高さ方向中間部に折畳罫線１２を入れた構成とし、表示ボード１の裏面に背板８を、下ボード４の裏面に台座７の基部を貼り付ける。使用前の折畳状態では、表示ボード１とスタンド２とを、ヒンジ部２５及び折畳罫線１２に沿って上ボード３と下ボード４の表面同士が重なるように折り重ねておく。使用時には、背板８から両方の側板９を後方へ折り曲げ、台座７を後方及び上方へ順次折り曲げて、側板９と台座７とを係合させて組み立てる。【選択図】図１
2016019598.tif 000002
【特許請求の範囲】
【請求項１】
表示ボード(1)をスタンド(2)で支持して立て掛ける立掛け式展示具において、前記表示ボード(1)は、上ボード(3)と下ボード(4)とをヒンジ部(25)を介して折り重ね可能に連結した構成とし、前記スタンド(2)は、背板(8)の両側に側板(9)を連設し、下部に台座(7)を備え、背板(8)及び両方の側板(9)に亘って高さ方向中間部に折畳罫線(12)を入れた構成とし、表示ボード(1)の裏面に背板(8)を貼り付けると共に、下ボード(4)の裏面に台座(7)の基部を貼り付け、
使用前の折畳状態では、表示ボード(1)とスタンド(2)とを、ヒンジ部(25)及び折畳罫線(12)に沿って上ボード(3)と下ボード(4)の表面同士が重なるように折り重ねておき、
使用時には、背板(8)から両方の側板(9)を後方へ折り曲げ、台座(7)を後方及び上方へ順次折り曲げて、側板(9)と台座(7)とを係合させて組み立てるようにしたことを特徴とする立掛け式展示具。
【発明の詳細な説明】
【技術分野】
【０００１】
この発明は、商品の広告を目的とする画像等を表示した大型のボードを立て掛けておく展示具に関するものである。
【背景技術】
【０００２】
例えば、化粧品の売場に設置される展示具として、下記特許文献１には、図７に示すように、モデルの等身大の画像を印刷した大型の表示ボード５１をスタンド５２により立て掛けた状態に支持し、化粧品の使用イメージを訴求すると共に、表示ボード５１にテスターを保持する保持具５３や商品吊下用のフック５４を取り付けたものが記載されている。このスタンド５２は、キャスター付きの台板から支柱が立ち上がる什器とされている。
【０００３】
また、このような什器を使用することなく、表示ボードと段ボール等の厚紙から成る折畳式スタンドとを、スタンドを折り畳んだ状態で外箱に同梱して、表示ボードの表面が傷つかないように店舗に輸送し、店頭で外箱から表示ボードとスタンドとを取り出して、スタンドを組み立てた後、表示ボードをスタンドにより立て掛けた状態に支持する展示具も一般に使用されている。
【先行技術文献】
【特許文献】
【０００４】
【特許文献１】特開２００７−１１７３７４号公報
【発明の概要】
【発明が解決しようとする課題】
【０００５】
しかしながら、上記特許文献１に記載されたような展示具は、耐久財であるスタンド５２を店舗側で予め準備しておく必要があり、恒常的な展示に使用する場合には適したものであるが、キャンペーン等で一時的に使用するだけの場合等において、この形態を採用することは現実的でない。
【０００６】
また、表示ボードとスタンドとを外箱に収納して店舗に輸送する形態では、輸送に際して、梱包に要する包材のコストが高額となり、展示作業時に、外箱からの表示ボードとスタンドの取り出しや組み立てに手間がかかるほか、表示ボードとスタンドとを外箱から取り出した後、外箱の解体や回収業者への引き渡しに煩わされるという問題がある。
【０００７】
そこで、この発明は、表示ボードの表面が傷つかないように、表示ボードとスタンドとを外箱を用いることなく嵩張らない状態で輸送でき、使用時には簡単に組み立てられ、外箱の処分の手間がかからないようにすることを課題とする。
【課題を解決するための手段】
【０００８】
上記のような課題を解決するため、この発明は、表示ボードをスタンドで支持して立て掛ける立掛け式展示具において、前記表示ボードは、上ボードと下ボードとをヒンジ部を介して折り重ね可能に連結した構成とし、前記スタンドは、背板の両側に側板を連設し、下部に台座を備え、背板及び両方の側板に亘って高さ方向中間部に折畳罫線を入れた構成とし、表示ボードの裏面に背板を貼り付けると共に、下ボードの裏面に台座の基部を貼り付け、使用前の折畳状態では、表示ボードとスタンドとを、ヒンジ部及び折畳罫線に沿って上ボードと下ボードの表面同士が重なるように折り重ねておき、使用時には、背板から両方の側板を後方へ折り曲げ、台座を後方及び上方へ順次折り曲げて、側板と台座とを係合させて組み立てるようにしたのである。
【発明の効果】
【０００９】
この発明に係る展示具では、折り畳んだ状態において、表示ボードをなす上ボードと下ボードの表面同士が重なり、表示ボードがスタンドで包み込まれるので、外箱に収納しなくても、表示ボードの表面が傷つかないように嵩張らない状態で輸送することができ、使用時には、外箱から取り出すことなく、折畳状態から簡単に組み立てることができ、外箱の処分に煩わされることもない。
【図面の簡単な説明】
【００１０】
【図１】この発明の実施形態に係る展示具の組立状態を正面側から示す斜視図
【図２】同上の展示具の組立状態を背面側から示す斜視図
【図３】同上の展示具の折畳状態を示す斜視図
【図４】同上の縦断側面図
【図５】同上の上ボードと下ボードを示す図
【図６】同上のスタンドのスタンド本体及び台座のブランクを示す図
【図７】特許文献１に記載の展示具の組立状態を正面側から示す斜視図
【発明を実施するための形態】
【００１１】
以下、この発明の実施形態を添付図面に基づいて説明する。
【００１２】
図１及び図２に示すように、この展示具は、化粧品の売場等において、モデルの等身大の画像を表面に印刷した大型の表示ボード１をスタンド２により立て掛けた状態に支持するものである。
【００１３】
表示ボード１は、図５に示すような上ボード３と下ボード４とから構成される。上ボード３及び下ボード４は、それぞれ発泡スチロール板の表面及び裏面に板紙を貼り付けたものとされ、表面側の板紙にモデルの写真が上ボード３と下ボード４とに分割して印刷されている。上ボード３には、テスターの保持具や商品吊下用のフックを取り付けるためのＴ字状の取付穴５が４個横に並べて設けられている。
【００１４】
上ボード３と下ボード４とは、図１に示すように、発泡スチロール板の下辺と上辺とを突き合わせ、上ボード３の表面側の板紙の下方への延長部を下ボード４の表面に貼り付けて接合し、図３及び図４に示すように、この接合部をヒンジ部２５として、上ボード３と下ボード４とを、表面同士が重なるように折曲可能とする。
【００１５】
スタンド２は、図６に示すような段ボールのスタンド本体６と台座７のブランクから形成される。スタンド本体６のブランクでは、縦長の長方形の背板８の両側に側板９が縦罫線１０を介して連設されている。縦罫線１０は、折曲抵抗を軽減するため、押罫線と切目線とが断続するリード罫とされている。
【００１６】
側板９の下辺は、後述する台座７の貼付部１９の形状に対応して、背板８から外下方へ延びるように傾斜すると共に、その下端から組立時の後端へかけて、水平方向より若干斜め上方へ傾斜し、組立時の後部寄りに係合切込１１が設けられている。
【００１７】
背板８及び両方の側板９の高さ方向中間部には、使用前に折り畳むことができるようにするため、全幅に亘って、折畳罫線１２が２本平行に入れられている。折畳罫線１２は、表面から押圧した押罫線とされている。
【００１８】
折畳罫線１２より上方の部分には、背板８から両方の側板９に張り出した係止片１３が切込により設けられ、係止片１３の下端には、ヒンジ罫線１４が入れられている。係止片１３の上縁には、係合凹所１５が縦罫線１０に対応して設けられ、両方の側板９の係止片１３に臨む端縁には、係合凹所１６がヒンジ罫線１４に対応して設けられている。
【００１９】
背板８の折畳罫線１２とヒンジ罫線１４の間には、上ボード３を貼り付けたとき、取付穴５に連通する貫穴１７が設けられている。
【００２０】
台座７のブランクでは、台形状の部分の下方に長方形状の部分が連設され、複数本の組立用の横罫線１８が平行に入れられている。横罫線１８は、表面側が凸となる正方向及び表面側が凹となる逆方向の双方への折り曲げを可能とするため、押罫線と切目線とが断続するリード罫とされている。
【００２１】
横罫線１８を境界として、台座７には、下ボード４に貼り付けられる貼付部１９と、組立時に斜後下方へ折り曲げられる後折部２０と、折畳時に上ボード３と下ボード４の厚さを吸収する襠部２１と、使用時に床面に当接する底面部２２と、組立時に上方へ折り曲げられる上折部２３とが設けられている。上折部２３には、縦罫線１０に対応する間隔で２本の係合切込２４が設けられている。
【００２２】
上記のよう部材から展示具を製造する際には、上ボード３と下ボード４とを折り曲げることなく伸ばした状態で、表示ボード１と背板８の長さ方向を一致させて、表示ボード１の裏面に背板８を貼り付け、表示ボード１にスタンド２を取り付ける。このとき、取付穴５と貫穴１７が連通するように位置を合わせる。また、下ボード４の下部裏面に、台座７の貼付部１９を貼り付ける。
【００２３】
また、折り畳みに伴う表示ボード１とスタンド２の位置ずれを吸収するため、製造時には、折畳罫線１２より上方部分で上ボード３と背板８とを接着せず、図２に示すように、上ボード３又は背板８に剥離紙で一方の粘着面が覆われた両面テープ２６を貼り付けておき、店頭での展示作業に際し、両面テープ２６の剥離紙を剥ぎ取って、背板８の上部と上ボード３とを貼り合わせるようにしておく。
【００２４】
上記展示具は、店舗への輸送に際し、図３及び図４に示すように、表示ボード１とスタンド２とを、ヒンジ部２５及び折畳罫線１２に沿って上ボード３と下ボード４の表面同士が重なるように折り重ね、台座７を横罫線１８に沿って折り重ねることにより、折畳状態とすることができる。
【００２５】
このように折り畳むと、表示ボード１をなす上ボード３と下ボード４の表面同士が重なって、表示ボード１がスタンド２で包み込まれるので、外箱に収納しなくても、表示ボード１の表面が傷つかないように嵩張らない状態で輸送することができる。そして、展示作業時には、外箱から取り出すことなく、折畳状態から簡単に組み立てることができ、外箱の処分に煩わされることもない。
【００２６】
そして、店頭での展示使用のため、図１及び図２に示すように組み立てるには、スタンド本体６において、背板８から縦罫線１０に沿って両方の側板９を後方へ折り曲げ、台座７の後折部２０及び襠部２１を斜後下方へ、底面部２２を後方へ、上折部２３を上方へそれぞれ横罫線１８に沿って順次折り曲げ、係合切込１１，２４を噛み合わせて、側板９と台座７とを係合させる。
【００２７】
また、係止片１３をヒンジ罫線１４に沿って後方へ折り曲げ、係合凹所１５，１６を噛み合わせて、側板９と係止片１３とを係合させることにより、表示ボード１に対する側板９の揺動を防止し、組立状態を堅固なものとする。また、両面テープ２６の剥離紙を剥ぎ取って、背板８の上部と上ボード３とを貼り合わせる。
【００２８】
このように組み立てた展示具を商品の宣伝及び展示のため店頭に設置する際には、底面部２２を床面に当接させ、表示ボード１を上方へかけて若干後傾した状態でスタンド２で支持して立て掛ける。また、取付穴５を利用して、テスターの保持具２７や商品吊下用のフックを適宜取り付ける。
【００２９】
なお、上記実施形態では、スタンド２において、スタンド本体６と台座７とが別体となったものを例示したが、背板８の下端に台座７を連設することにより、スタンド２が一体となったものとしてもよい。
【符号の説明】
【００３０】
１  表示ボード
２  スタンド
３  上ボード
４  下ボード
５  取付穴
６  スタンド本体
７  台座
８  背板
９  側板
１０  縦罫線
１１  係合切込
１２  折畳罫線
１３  係止片
１４  ヒンジ罫線
１５，１６  係合凹所
１７  貫穴
１８  横罫線
１９  貼付部
２０  後折部
２１  襠部
２２  底面部
２３  上折部
２４  係合切込
２５  ヒンジ部
２６  両面テープ
２７  保持具
【図１】
2016019598.tif 000003
【図２】
2016019598.tif 000004
【図３】
2016019598.tif 000005
【図４】
2016019598.tif 000006
【図５】
2016019598.tif 000007
【図６】
2016019598.tif 000008
【図７】
2016019598.tif 000009